(57)【要約】【課題】安価で簡易な手段により、強風などによる軒樋支持具の杆部の上下方向の振れを抑えることができる補強具を提供する。【解決手段】補強具５０は、軒先壁面３より突出する杆部２０の先端に軒樋支持部１０を連設してなる軒樋支持具１の杆部２０を補強するものであり、杆部２０により支持される支持受部５１と、支持受部５１より杆部２０の上下方向の少なくとも一方へ延びた本体部５２とを備えた構成とされ、本体部５２の後端面５２ｂが軒先壁面３に近接して配設されるようになっている。【選択図】図１
2015145567.tif 000002
【特許請求の範囲】
【請求項１】
軒先壁面より突出する杆部の先端に軒樋支持部を連設してなる軒樋支持具の前記杆部を補強する補強具であって、
前記杆部により支持される支持受部と、該支持受部より前記杆部の上下方向の少なくとも一方へ延びた本体部とを備えた構成とされ、該本体部の後端面が前記軒先壁面に近接して配設されることを特徴とする補強具。
【請求項２】
請求項１において、
前記軒樋支持具は、前記杆部の基端より前記軒先壁面に添設されるように延びた取付固定部を有した構造とされ、
前記本体部は、その後端面が前記軒樋支持具の取付固定部を介した状態で、前記軒先壁面に近接するように配されることを特徴とする補強具。
【請求項３】
請求項１または２において、
前記軒樋支持具の杆部は帯状板体とされ、
前記支持受部は、前記杆部の板面に固定具で固定されることを特徴とする補強具。
【請求項４】
請求項１〜３のいずれか１項において、
前記支持受部は、前記軒樋支持具の杆部を挟み込む装着凹溝を有していることを特徴とする補強具。
【発明の詳細な説明】
【技術分野】
【０００１】
本発明は、軒先壁面より突出する杆部の先端に軒樋支持部を連設してなる軒樋支持具の杆部を補強する補強具に関する。
【背景技術】
【０００２】
軒樋支持具は、軒樋を軒先の前方位置で支持するものであるから、外壁などの軒先より前方に向かって突き出るように設ける必要がある。通例では、美感などを考慮して、軒樋支持部および杆部のいずれも帯板形状に形成されている。
【０００３】
また、特許文献１に示した、軒先からの軒樋の出具合位置の調節を可能とした軒樋支持具は、軒樋支持部と杆部とが分離構成され、相互にスライド移動できる構成となっており、そのものでも、杆部が軒先より突き出るような直線的な帯板形状となっている（特許文献１参照）。
【先行技術文献】
【特許文献】
【０００４】
【特許文献１】特開２０１３−９１９５０号公報
【発明の概要】
【発明が解決しようとする課題】
【０００５】
しかしながら、上記のように杆部を帯板形状のもので形成した場合、特に杆部の長さを利用してより前方位置で軒樋を支持するようにした場合、前方等からの強風により杆部が上下方向に大きく振れることがある。
【０００６】
特に台風などで発生する強風を受けると、杆部の基部近傍（壁面の近傍）に想定外の負担がかかるため、その部位で折れや曲がりが起こるおそれもある。
【０００７】
杆部にその長手方向に沿ったリブを設ければ強度を高めることができるが、コスト高となる。また、すでに生産されている軒樋支持具を改変することなく利用したいとの要望もあるし、すでに施工された軒樋支持具に対し、その軒樋支持具をそのままにして補強できるようにしたいとの要望もある。
【０００８】
本発明は、このような事情を考慮して提案されたもので、その目的は、安価で簡易な手段により、強風などによる軒樋支持具の杆部の上下方向の振れを抑えることができる補強具を提供することにある。
【課題を解決するための手段】
【０００９】
上記目的を達成するために、請求項１に記載の補強具は、軒先壁面より突出する杆部の先端に軒樋支持部を連設してなる軒樋支持具の杆部を補強する補強具であって、杆部により支持される支持受部と、支持受部より杆部の上下方向の少なくとも一方へ延びた本体部とを備えた構成とされ、本体部の後端面が軒先壁面に近接して配設されることを特徴とする。
【００１０】
請求項２に記載の補強具は、軒樋支持具は、杆部の基端より軒先壁面に添設されるように延びた取付固定部を有した構造とされ、本体部は、その後端面が軒樋支持具の取付固定部を介した状態で、軒先壁面に近接するように配されることを特徴とする。
【００１１】
請求項３に記載の補強具は、軒樋支持具の杆部は帯状板体とされ、支持受部は、杆部の板面に固定具で固定されることを特徴とする。
【００１２】
請求項４に記載の補強具は、支持受部は、軒樋支持具の杆部を挟み込む装着凹溝を有していることを特徴とする。
【発明の効果】
【００１３】
請求項１に記載の補強具によれば、上述の構成となっているため、強風を受けた場合などに、杆部の上下方向の振れを極力抑えることができ、その結果、杆部が損傷することを防止することができる。また、軒樋支持具に対し補強具を付加して補強する構造となっているため、補強構造を安価で簡易に実現することができる。さらに、別体の補強具を用いる補強手段であるから、既設の軒樋支持具への後付けもできる。また、板体を折曲形成して補強具を成形すれば、簡易かつ低コストで生産できる。
【００１４】
請求項２に記載の補強具によれば、本体部はその後端面が軒樋支持具の取付固定部を介した状態で、軒先壁面に近接するように配される構成であるため、上下方向のうちの取付固定部側への振れを防止することができる。
【００１５】
請求項３に記載の補強具によれば、支持受部が帯状板体で形成された軒樋支持具の杆部の板面に固定具で固定されるようになっているため、支持受部の杆部からのずれや外れを防止でき、その結果、より確実な補強効果が奏せられる。
【００１６】
請求項４に記載の補強具によれば、軒樋支持具の杆部を挟み込む装着凹溝を有しているため、支持受部の杆部からのずれや外れを防止できる。この装着凹溝は特に、ばね材などの薄板材で成形した補強具に容易に適用できる。また、固定具を併用することで、強固な取付構造となり得る。
【図面の簡単な説明】
【００１７】
【図１】本発明の一実施形態に係る補強具の取付状態を示した分解斜視図である。
【図２】（ａ）は図１に示した補強具の正面図、（ｂ）は同平面図、（ｃ）は同側面図、（ｄ）は同展開図である。
【図３】（ａ）は同補強具の取付状態を示した側面図、（ｂ）は同要部斜視図である。
【図４】同補強具の他の取付例を示した側面図である。
【図５】（ａ）は本発明の他の実施形態に係る補強具の取付状態を示した側面図、（ｂ）は同補強具の正面図である。
【図６】（ａ）〜（ｄ）は、本発明のさらに他の実施形態の補強具の取付状態を示した（軒樋支持具を縦断面として図示した）各正面図である。
【発明を実施するための形態】
【００１８】
以下に、本発明の実施形態について、添付図面を参照しながら説明する。
【００１９】
以下に示す種々の補強具５０、５０、・・・（図１〜図６参照）は、軒先壁面３より突出する杆部２０の先端に軒樋支持部１０を連設してなる軒樋支持具１の杆部２０を補強する補強具５０である。この補強具５０は、軒樋支持具１の杆部２０により支持される支持受部５１と、支持受部５１より杆部２０の上下方向の少なくとも一方へ延びた本体部５２とを備えた構成とされ、本体部５２の後端面５２ｂが軒先壁面３に近接して配設される構成となっている。
【００２０】
このような補強具５０は、強風などで軒樋支持具１の杆部２０が上下に振れようとした際に、本体部５２の後端面５２ｂが軒先壁面３（あるいは軒先壁面３に取り付けた軒樋支持具１の取付固定部３０の前面）に当たって、本体部５２の移動が規制され、それによって軒樋支持具１の杆部２０が上下に振れないようになっている。
【００２１】
まず、本発明の一実施形態に係る補強具について、図１〜図３を参照して説明する。
本実施形態の補強具５０は、軒樋２を吊り支持する軒樋支持具１の特に杆部２０に対する補強具５０である。
【００２２】
補強の対象である軒樋支持具１は、軒樋２を支持固定する軒樋支持部１０と、軒樋支持部１０を連結した杆部２０と、軒先壁面３に取付固定される取付固定部３０とを備えている。この軒樋支持具１は、軒樋２の軒先壁面３からの距離を調整（出具合調節）できるように、軒樋支持部１０と杆部２０とが分離された構成となっている。このような構成により、軒樋支持部１０と杆部２０とは相互に前後方向の適宜な位置で固定できるようになっている。また、取付固定部３０は、杆部２０の壁面側の基端より折曲されて下方に延びた取付部２２と、その取付部２２を覆う別体の取付基板４０とを有してなる。
【００２３】
軒樋支持部１０は、板状体を加工して形成されており、前端に軒樋前耳保持部１１を、後端に軒樋後耳保持部１２を有した形状とされ、それらの間の板状本体部１３には、杆部２０に対して前後方向にスライド調節できるようにするために、長手方向に開設された長孔１４を有している。なお、図例の軒樋後耳保持部１２は、別体の薄板よりなるバネ性を有した保持片１２ａを後付けして形成されている。そして、図２に示すように、軒樋前耳保持部１１に前耳２ａが保持され、軒樋後耳保持部１２に後耳２ｂが保持されるようにして、軒樋２が吊り支持されるようになっている。
【００２４】
また、板状本体部１３における長孔１４の幅方向の両側部には、長孔１４のほぼ全長にわたり連続凹凸１５が等ピッチで形成してある。この連続凹凸１５の凹部は、後述する杆部２０の連結部２１ａの裏面に設けた係止突部（不図示）を嵌入係止させるための係止部を構成する。
【００２５】
一方、杆部２０は、軒先壁面３に取り付ける取付固定部３０の取付部２２を一体として含んで、帯板体を折曲形成してなる。杆部２０の基部は上方に膨出形成され、杆部２０の板面に溜まる水を前方へと流し出す水返し部２３を構成している。
【００２６】
杆部２０の水返し部２３よりも前方部位には平板部２１が形成され、平板部２１の基部（水返し部２３）の近傍には、補強具５０をボルト５５ａ、ナット５５ｂよりなる固定具５５で取付固定するための挿通孔２０ａが開設されている。また、平板部２１の前端側には段落ち形成された連結部２１ａが形成されている。連結部２１ａには軸孔２１ｂが開設され、下面には軒樋支持部１０の連続凹凸のいずれか１つの凹部に嵌入する係止突部（不図示）が形成してある。
【００２７】
取付固定部３０は、取付部２２と、取付部２２を覆うように取り付けられる取付基板４０とを有した構成とされる。取付部２２は、外壁などの軒先壁面３に添設されるように下方に延びた形状とされる。この取付部２２の前面側に取付基板４０が配され、軒先壁面３に固定されるようになっている。
【００２８】
取付基板４０は、凹部４１と、凹部４１の両側より延びた側片４２、４２とを有した形状とされ、凹部４１を取付部２２に被せるようにして側片４２、４２を軒先壁面３に取り付けることで、軒樋支持具１を固定できるようになっている。それぞれの側片４２、４２にはビス止め用のビス孔４２ａ、釘止め用の釘孔４２ｂが開設されている。
【００２９】
以上に示した軒樋支持部１０と杆部２０とは、図１に示すように、長孔１４の長手方向の適宜な位置で、長孔１４および軸孔２１ｂにボルト４を通して蝶ナット５で螺合することで軸連結される。なお、図１の符号６はスプリングワッシャである。
【００３０】
補強具５０は、このような軒樋支持具１の杆部２０の平板部２１の基部近傍に取り付けられる。この補強具５０は、図１および図２（ａ）〜（ｄ）に示すように、薄板体を加工して成形されており、杆部２０に取り付けられて支持されるようにした支持受部５１と、その下方に配された本体部５２とを備えている。
【００３１】
支持受部５１は、杆部２０の平板部２１を挟み込む装着凹溝５１ａを有した形状とされる。装着凹溝５１ａを形成した上板部５１ｂ、下板部５１ｃのそれぞれには、相互に上下に貫通する固定具孔５１ｄ、５１ｅが開設されている。なお、上板部５１ｂは、水返し部２３を回避して取り付けできるように、その後部が切除されている（図２（ｂ）参照）。
【００３２】
また、本体部５２は、下板部５１ｃの正面視における左端より右下方に傾斜して延設されている（図２（ａ）参照）。本体部５２は側面視で、その前方辺縁側が半円状に切り欠かれた切欠き台形状とされる（図２（ｃ）参照）。なお、本体部５２は本図例の形状には限定されず、矩形（長方形、正方形）であってもよい。
【００３３】
切欠き部５２ａは、固定具孔５１ｄ、５１ｅの真下にあたる本体部５２における部位を含むように切り欠かかれた凹部であり、この切欠き部５２ａによって、補強具５０の杆部２０への固定具５５の取付操作をスムーズに行うことができるようになっている。
【００３４】
また、本体部５２は、その後端面５２ｂ（図２（ｃ）における切欠き台形の後方辺縁）が、補強具５０を施工された軒樋支持具１に取り付けた際に、軒先壁面３に対し平行となるように近接するように形成されている（図３（ａ）参照）。
【００３５】
なお、本体部５２の支持受部５１に対する傾斜形状は限定されるものではない。本体部５２は支持受部５１に対し種々の方向に延びた形状としてもよいが、少なくとも杆部２０の振れ方向（上下方向）の特に下方向への負荷を受け止めることができるように、杆部２０の真下に配されるようにすることが望ましい。たとえば、後述する図６（ｄ）に示すような形状としてもよい。
【００３６】
この補強具５０は、支持受部５１の装着凹溝５１ａに杆部２０をその幅方向にスライド挿入するようにして、杆部２０の平板部２１の基部近傍に、支持受部５１の固定具孔５１ｄ、５１ｅと杆部２０の挿通孔２０ａとが重合された状態に装着され、重合孔に固定具５５（ボルト５５ａ、ナット５５ｂ）が取り付けられて固定される。
【００３７】
このように軒樋支持具１に補強具５０が装着された状態では、補強具５０の本体部５２の後端面５２ｂは、軒先壁面３に固定された取付基板４０の凹部４１の外面に接触するか、あるいは凹部４１の外面との間にわずかに隙間ができる程度に近接する。
【００３８】
このように、軒樋支持具１の杆部２０に補強具５０が上述したように取り付けてあるから、杆部２０に対し上方より力が加えられて杆部２０が軒先壁面３側に基部（水返し部２３）を中心に回動しようとした場合でも、その動作を補強具５０で受け止めることができる。つまり、補強具５０によって杆部２０を補強することができ、それによって強風等による杆部２０の大きな下方振れを阻止でき、その結果、振れによって想定外の負担がかかる杆部２０の基部近傍での折れや曲がりが発生することを防止できる。
【００３９】
また、補強具５０は軒樋支持具１に取り付けて使用する簡易な構造となっているから、補強構造を安価で簡易に実現することができる。補強手段として別体の補強具５０を用いる構成であるから、補強具５０は既設の軒樋支持具１への後付けもできる。また、本実施形態の補強具５０は薄板を折曲形成して形成されているため、簡易に成形でき、生産コストを抑えることができる。なお、既設の軒樋支持具１へ補強具５０を後付けする場合には、軒樋支持具１の杆部２０に設ける挿通孔２０ａは、補強具５０を取り付ける際に開設すればよい。
【００４０】
また、図１に示した補強具５０は受け式の軒樋支持具にも適用が可能である。図４は補強具を受け式の軒樋支持具１に適用させた例図である。
【００４１】
図４の軒樋支持具１は、角形樋を下方より受け支持する軒樋支持部１０と、平板部２１を有した杆部２０と、取付部２２を取付基板４０で覆って軒先壁面３に固定される取付固定部３０とを備えている。軒樋支持部１０と、杆部２０と、取付固定部３０の取付部２２とは一体成形されている。
【００４２】
この軒樋支持具１においても、その杆部２０に図１の補強具５０が図１と同様の状態に取り付けてあるから、杆部２０は補強具５０によって補強され、損傷することを防止することができる。
【００４３】
以上に示した実施形態の例では、補強具５０を本体部５２を軒樋支持具１の下方に配するものを示したが、本体部５２を上に配するようなものであってもよい。また、本補強具５０の本体部５２の後端は自由端としたが、取付基板４０の外面に溶接などにより固着させてもよい。
【００４４】
ついで、本発明の他の実施形態に係る種々の補強具について、図５および図６を参照しながら説明する。
【００４５】
図５に示した補強具５０は、支持受部５１の上下両方向へ延びた２つの本体部５２、５２´を備えている。図例のものは、図１に示した補強具５０と同形状のの支持受部５１、本体部５２を備えるとともに、支持受部５１の上方には、支持受部５１の上板部５１ｂの端部から上側に傾斜して延びた本体部５２´を備えている。なお、支持受部５１、下側の本体部５２および補強具５０の軒樋支持具１への取付形態については図１のものと同形状であるため、それらに関する各部には同一符号を付してその説明は省略する。
【００４６】
上側の本体部５２´は、正面視では下側の本体部５２と概ね上下対称の傾斜形状とされ、側面視では杆部２０の水返し部２３を回避するように一部が切り欠かかれた矩形状とされる。本体部５２´は、その後端面５２ｂ（図５（ａ）における切欠き矩形の後方辺縁）が、補強具５０を施工された軒樋支持具１に取り付けた際に、軒先壁面３に対し平行となるように近接するように形成されている
【００４７】
このように本実施形態の補強具５０は、上下に２つの本体部５１、５１´を備えているため、軒樋支持具１の杆部２０の上方、下方のいずれへの振れも抑えることができる。
【００４８】
図６（ａ）〜（ｄ）は、図１の補強具５０とは形状の異なる４つの補強具５０、５０、・・・の取付状態を示した正面図である。
【００４９】
図６（ａ）の補強具５０は、肉厚の板体で成形されている。また、支持受部５１には装着凹溝５１ａ（図２（ａ）参照）は形成されていない。支持受部５１は平板で構成されており、軒樋支持具１の杆部２０の下面側に重ね合わせて固定具５５で固定されるようになっている。横方向に回動しないように、杆部２０の長手方向に複数個所で固定具５５で固定することが望ましい。
【００５０】
この補強具５０によれば、厚板により成形されているので、本体部５２の強度が増し、後端面５２ｂ（図３（ａ）参照）が軒先壁面３（図３（ａ）参照）に強く接触しても、本体部５２の折れや曲がりは発生しにくいし、損傷もしにくい。また、支持受部５１もその厚さにより強度が高められるので、図例のように軒樋支持具１の杆部２０にあてがって固定具５５で固定するだけでよく、補強具５０をより簡易な形状に形成することができる。
【００５１】
図６（ｂ）の補強具５０は、図６（ａ）の補強具５０と同様、支持受部５１は装着凹溝５１ａ（図２（ａ）参照）を有していない。この補強具５０は、平板状の支持受部５１を軒樋支持具１の杆部２０に引っ掛けるようにして支持され、固定具５５で杆部２０に固定されて使用される。
【００５２】
この補強具５０も装着凹溝５１ａ（図２（ａ）参照）を備えていないので、より簡易に安価に成形でき、簡易に補強構造を実現することができる。
【００５３】
図６（ｃ）の補強具５０は、本体部５２に前後方向に沿った凹凸条５２ｃが形成されている。なお、他の構成は図１の補強具５０と同様である。このように本体部５２に凹凸条５２ｃが形成されているから、本体部５２の強度は向上する。
【００５４】
図６（ｄ）の補強具５０は、図１の補強具５０とは本体部５２の正面形状が異なり、本体部５２が、正面視でＬ字形状をなしている。したがって、本体部５２は軒先壁面３（図３（ａ）参照）に平面的に相対するから、本体部５２は頑丈となる。
【００５５】
以上に示した種々の補強具５０、５０、・・・は、支持受部５１において杆部２０に対し固定具５５で固定される構成となっているが、支持された状態でずれ動かなければ、固定具５５で固定しない構造としてもよい。たとえば、杆部２０が圧入されるように装着凹溝５１ａを形成したものでもよい。
【符号の説明】
【００５６】
１        軒樋支持具
２        軒樋
３        軒先壁面
５０      補強具
５１      支持受部
５１ａ    装着凹溝
５２      本体部
５２ｂ    後端面
５５      固定具
１０      軒樋支持部
２０      杆部
２１      平板部
２２      取付部
３０      取付固定部
４０      取付基板
４１      凹部
４２      側片
【図１】
2015145567.tif 000003
【図２】
2015145567.tif 000004
【図３】
2015145567.tif 000005
【図４】
2015145567.tif 000006
【図５】
2015145567.tif 000007
【図６】
2015145567.tif 000008